(57)【要約】【課題】受信した接続要求の通信の種別に応じて、種類の異なる複数端末の中から接続する端末を選択する端末接続装置、端末接続システム、端末接続装置の接続方法、及び端末への接続プログラムを提供する。【解決手段】接続要求信号を受信すると（Ｓ９１：ＹＥＳ）、前記通接続要求の通信の種別に対応可能な端末があるかが判定される（Ｓ９３）。対応可能な端末があると判定されると（Ｓ９５：ＹＥＳ）、該対応可能と判定された端末に着信通知を送信する（Ｓ１０１）。【選択図】図８
2012182601.tif 000002
【特許請求の範囲】
【請求項１】
ＳＩＰ（Ｓession Initiation Protocol）を用いて通信を行うＳＩＰサーバに接続され、前記ＳＩＰサーバからの接続要求の通信の種別に応じて、種類の異なる複数の端末から構成される第一の端末群のいずれかの端末と接続を行う端末接続装置であって、
制御部と、前記制御部への命令を記憶したメモリとを備え、前記命令が実行されることにより、
前記第一の端末群以外の端末である他端末からの前記接続要求を、前記ＳＩＰサーバを介して受信する受信ステップと、
前記受信ステップにおいて、前記他端末から前記接続要求を受信すると、前記端末接続装置の第１登録部に予め登録されている種類の異なる複数の前記端末が対応可能な通信の種別情報に基づいて、種類の異なる複数の前記端末の中に受信した前記接続要求の通信の種別に対応可能な端末が存在するか否かを判定する第１判定ステップと、
前記第１判定ステップにおいて、対応可能な端末が存在すると判定された場合、対応可能と判定された前記端末と前記他端末との通信を成立させる通信制御ステップと
を実行することを特徴とする端末接続装置。
【請求項２】
前記制御部は、前記第１判定ステップにおいて、受信した前記接続要求の通信の種別に対応可能な端末が存在すると判定され、かつ、該端末が複数存在する場合、前記端末接続装置の第２登録部に予め登録されている通信の種別毎に接続する端末の優先順位を示す優先順位情報に基づいて、前記接続要求の前記通信の種別に対応可能な複数の前記端末の中から接続する端末を選択する第１選択ステップをさらに実行し、前記通信制御ステップにおいて、前記第１選択ステップにおいて選択された前記端末と前記他端末との通信を成立させることを特徴とする請求項１に記載の端末接続装置。
【請求項３】
前記制御部は、前記端末接続装置の第３登録部に予め登録されている種類の異なる複数の前記端末の現在の利用状況を示すプレゼンス情報に基づいて、前記第１選択ステップで選択された前記端末への接続が可能か否かを判定する第２判定ステップをさらに実行し、前記第２判定ステップにおいて、前記第１選択ステップにおいて選択された前記端末への接続が可能と判定された場合、前記通信制御ステップにおいて、前記第１選択ステップにおいて選択された前記端末と前記他端末との通信を成立させることを特徴とする請求項２に記載の端末接続装置。
【請求項４】
前記制御部は、前記受信ステップにおいて、前記他端末から通信の種別が音声・画像通信での接続要求を受信し、前記第１判定ステップにおいて前記音声・画像通信に対応可能な端末が存在しないと判定された場合、又は前記第２判定ステップにおいて、前記第１選択ステップで選択された前記音声・画像通信に対応可能な端末への接続が可能でないと判定された場合、音声通信可能な端末が存在するか否かを判定する第３判定ステップを実行し、前記第３判定ステップにおいて音声通信可能な端末が存在すると判定された場合、前記通信制御ステップにおいて、音声通信可能な前記端末と前記他端末との通信を成立させる請求項３に記載の端末接続装置。
【請求項５】
前記制御部は、種類の異なる複数の前記端末にワイヤレス端末が含まれる場合であって、前記ワイヤレス端末が放射する電波の受信電界強度を前記端末接続装置に接続されているルータから受信する受信電界強度受信ステップと、
前記受信電界強度受信ステップにおいて受信した前記受信電界強度が所定値以下であるか否かを判定する受信電界強度判定ステップと、
前記第１選択ステップにおいて、前記ワイヤレス端末が前記他端末と通信を成立させる端末に選択され、かつ、前記受信電界強度判定ステップにおいて前記受信電界強度が所定値以下であると判定された場合には、前記接続要求の前記通信種別に対応可能で、かつ、前記ワイヤレス端末より前記優先順位が下位である端末の中から前記他端末との通信を成立させる端末を選択する第２選択ステップとをさらに実行し、前記通信制御ステップにおいて、前記第２選択ステップで選択された端末と前記他端末との通信を成立させることを特徴とする請求項２から４のいずれかに記載の端末接続装置。
【請求項６】
前記制御部は、種類の異なる複数の前記端末が対応可能な通信の種別の前記第１登録部への登録及び種類の異なる複数の前記端末間の前記優先順位の前記第２登録部への登録の少なくとも１つを受け付ける受付ステップを更に実行することを特徴とする請求項１から５のいずれかに記載の端末接続装置。
【請求項７】
ＳＩＰ（Ｓession Initiation Protocol）を用いて通信を行うＳＩＰサーバと、前記ＳＩＰサーバに接続され、前記ＳＩＰサーバからの接続要求の通信の種別に応じて、種類の異なる複数の端末から構成される第一の端末群のいずれかの端末と接続を行う端末接続装置とからなる端末接続システムであって、
前記第一の端末群以外の端末である他端末からの前記接続要求を、前記ＳＩＰサーバを介して受信する受信手段と、
前記受信手段によって前記他端末から前記接続要求を受信すると、前記端末接続装置の第１登録部に予め登録されている種類の異なる複数の前記端末が対応可能な通信の種別情報に基づいて、種類の異なる複数の前記端末の中に受信した前記接続要求の通信の種別に対応可能な端末が存在するかを判定する判定手段と、
前記判定手段によって対応可能な端末が存在すると判定された場合、対応可能と判定された前記端末と前記他端末との通信を成立させる通信制御手段と
を備えることを特徴とする端末接続システム。
【請求項８】
ＳＩＰ（Ｓession Initiation Protocol）を用いて通信を行うＳＩＰサーバに接続され、前記ＳＩＰサーバからの接続要求の通信の種別に応じて、種類の異なる複数の端末から構成される第一の端末群のいずれかの端末と接続を行う端末接続装置の接続方法であって、
前記第一の端末群以外の端末である他端末からの前記接続要求を、前記ＳＩＰサーバを介して受信する受信ステップと、
前記他端末から前記接続要求を受信すると、前記端末接続装置の第１登録部に予め登録されている種類の異なる複数の前記端末が対応可能な通信の種別情報に基づいて、種類の異なる複数の前記端末の中に前記接続要求の通信の種別に対応可能な端末が存在するかを判定する判定ステップと、
前記判定ステップにおいて対応可能な端末が存在すると判定された場合、対応可能と判定された端末と前記他端末との通信を成立させる通信制御ステップと
を備えたことを特徴とする端末接続装置の接続方法。
【請求項９】
ＳＩＰ（Ｓession Initiation Protocol）を用いて通信を行うＳＩＰサーバに接続され、前記ＳＩＰサーバからの接続要求の通信の種別に応じて、種類の異なる複数の端末から構成される第一の端末群のいずれかの端末との接続をコンピュータに実行させるための端末への接続プログラムであって、
前記第一の端末群以外の端末である他端末からの前記接続要求を、前記ＳＩＰサーバを介して受信する受信ステップと、
前記受信ステップにおいて前記他端末から前記接続要求を受信すると、前記端末接続装置の第１登録部に予め登録されている種類の異なる複数の前記端末が対応可能な通信の種別情報に基づいて、種類の異なる複数の前記端末の中に前記接続要求の通信の種別に対応可能な端末が存在するかを判定する判定ステップと、
前記判定ステップで対応可能な端末が存在すると判定された場合、対応可能と判定された端末と前記他端末との通信を成立させる通信制御ステップと
をコンピュータに実行させるための端末への接続プログラム。
【発明の詳細な説明】
【技術分野】
【０００１】
本発明は、通信の種別の異なる複数端末の中から接続する端末を選択する端末接続装置、端末接続システム、端末接続装置の接続方法及び端末への接続プログラムに関する。
【背景技術】
【０００２】
一般にＩＰ電話の呼接続制御には、ＳＩＰ（Ｓession Initiation Protocol）と呼ばれるプロトコル体系が使用されている。ＳＩＰでは、端末を識別するＩＤとしてＳＩＰアドレスが使用される。端末とＳＩＰアドレスとを１対１に対応させることによって端末間の通信が可能なる。
【０００３】
ところで、１つのＳＩＰアドレスを複数端末に割り当て、状況に応じて複数の端末を使い分けることが望まれている。そこで、一つの方法として、複数端末の上位に仮想端末を設置し、前記仮想端末に前記複数端末の現在の利用状況（以下では、「プレゼンス情報」という。）を登録し、接続要求を受信した際に接続する端末を、前記プレゼンス情報を参照して選択する方法が提案されている（特許文献１参照）。
【先行技術文献】
【特許文献】
【０００４】
【特許文献１】特開２００５−３５４５６２号公報
【発明の概要】
【発明が解決しようとする課題】
【０００５】
しかしながら、接続要求の通信の種別と、プレゼンス情報を参照して選択された端末が取り扱い可能な通信の種別との不整合が生じることがある。このような場合、これら端末間での通信が不能となる場合もある。
【０００６】
本発明は、上記課題を解決するためになされたものであり、受信した接続要求の通信の種別に応じて、種類の異なる複数端末の中から接続する端末を選択する端末接続装置、端末接続システム、端末接続装置の接続方法、及び端末への接続プログラムを提供することを目的とする。
【課題を解決するための手段】
【０００７】
上記課題を解決するために、本発明の第一の態様の端末接続装置では、ＳＩＰ（Ｓession Initiation Protocol）を用いて通信を行うＳＩＰサーバに接続され、前記ＳＩＰサーバからの接続要求の通信の種別に応じて、種類の異なる複数の端末から構成される第一の端末群のいずれかの端末と接続を行う端末接続装置であって、制御部と、前記制御部への命令を記憶したメモリとを備え、前記命令が実行されることにより、前記第一の端末群以外の端末である他端末からの前記接続要求を、前記ＳＩＰサーバを介して受信する受信ステップと、前記受信ステップにおいて、前記他端末から前記接続要求を受信すると、前記端末接続装置の第１登録部に予め登録されている種類の異なる複数の前記端末が対応可能な通信の種別情報に基づいて、種類の異なる複数の前記端末の中に受信した前記接続要求の通信の種別に対応可能な端末が存在するか否かを判定する第１判定ステップと、前記第１判定ステップにおいて、対応可能な端末が存在すると判定された場合、対応可能と判定された前記端末と前記他端末との通信を成立させる通信制御ステップとを実行する。
【０００８】
この場合の端末接続装置では、接続要求の通信の種別に応じて接続する端末が選択されるので、接続要求の通信の種別と、選択された端末が取り扱い可能な通信の種別との不整合が生じるのを未然に防ぐことができる。
【０００９】
本態様の端末接続装置では、前記制御部は、前記第１判定ステップにおいて、受信した前記接続要求の通信の種別に対応可能な端末が存在すると判定され、かつ、該端末が複数存在する場合、前記端末接続装置の第２登録部に予め登録されている通信の種別毎に接続する端末の優先順位を示す優先順位情報に基づいて、前記接続要求の前記通信の種別に対応可能な複数の前記端末の中から接続する端末を選択する第１選択ステップを更に実行し、前記通信制御ステップにおいて、前記第１選択ステップにおいて選択された前記端末と前記他端末との通信を成立させるようにしても良い。この場合の端末接続装置では、接続要求の通信の種別に対応可能な端末が複数存在している場合、前記複数端末間に優先順位を付けることができるので、ユーザは、例えば最も利用した端末を優先的に利用できる。
【００１０】
本態様の端末接続装置では、前記制御部は、前記端末接続装置の第３登録部に予め登録されている種類の異なる複数の前記端末の現在の利用状況を示すプレゼンス情報に基づいて、前記第１選択ステップで選択された前記端末への接続が可能か否かを判定する第２判定ステップをさらに実行し、前記第２判定ステップにおいて、前記第１選択ステップにおいて選択された前記端末への接続が可能と判定された場合、前記通信制御ステップにおいて、前記第１選択ステップにおいて選択された前記端末と前記他端末との通信を成立させるようにしても良い。この場合の端末装置では、端末の現在の利用状況（プレゼンス情報）によって接続する端末を選択することができるので、例えば接続要求をオフラインで利用できない状況下の端末に転送してしまい、通話不能となることを未然に防止できる。
【００１１】
本態様の端末接続装置では、前記制御部は、前記受信ステップにおいて、前記他端末から通信の種別が音声・画像通信での接続要求を受信し、前記第１判定ステップにおいて前記音声・画像通信に対応可能な端末が存在しないと判定された場合、又は前記第２判定ステップにおいて、前記第１選択ステップで選択された前記音声・画像通信に対応可能な端末への接続が可能でないと判定された場合、音声通信可能な端末が存在するか否かを判定する第３判定ステップを実行し、前記第３判定ステップにおいて音声通信可能な端末が存在すると判定された場合、前記通信制御ステップにおいて、音声通信可能な前記端末と前記他端末との通信を成立させるようにしても良い。この場合の端末接続装置では、音声・画像通信に対応可能な端末が存在しない場合又は存在していてもオフライン等の理由で利用できない状況であっても、音声通信に対応可能な端末があれば該端末に接続されるので、通信機会の損失を未然に防ぐことができる。
【００１２】
本態様の端末接続装置では、前記制御部は、種類の異なる複数の前記端末にワイヤレス端末が含まれる場合であって、前記ワイヤレス端末が放射する電波の受信電界強度を前記端末接続装置に接続されているルータから受信する受信電界強度受信ステップと、前記受信電界強度受信ステップにおいて受信した前記受信電界強度が所定値以下であるか否かを判定する受信電界強度判定ステップと、前記第１選択ステップにおいて、前記ワイヤレス端末が前記他端末と通信を成立させる端末に選択され、かつ、前記受信電界強度判定ステップにおいて前記受信電界強度が所定値以下であると判定された場合には、前記接続要求の前記通信種別に対応可能で、かつ、前記ワイヤレス端末より前記優先順位が下位である端末の中から前記他端末との通信を成立させる端末を選択する第２選択ステップとをさらに実行し、前記通信制御ステップにおいて、前記第２選択ステップで選択された端末と前記他端末との通信を成立させるようにしても良い。この場合の端末接続装置では、ワイヤレス端末が接続先に選択された場合であっても、前記ワイヤレス端末の電波状態によっては他の端末が接続先に選択し直されるので、接続要求を転送したワイヤレス端末が電波状況の悪化により通信に適さない状況に陥ることを未然に防ぐことができる。
【００１３】
本態様の端末接続装置では、前記制御部は、種類の異なる複数の前記端末が対応可能な通信の種別の前記第１登録部への登録及び種類の異なる複数の前記端末間の前記優先順位の前記第２登録部への登録の少なくとも１つを受け付ける受付ステップをさらに実行するようにしても良い。この場合の端末接続装置では、ユーザは通信の種別の登録及び端末の優先順位の登録の少なくとも１つを、例えば、前記ユーザの所有する端末から登録することができるので便利である。
【００１４】
本発明の第二の態様の端末接続システムでは、ＳＩＰ（Ｓession Initiation Protocol）を用いて通信を行うＳＩＰサーバと、前記ＳＩＰサーバに接続され、前記ＳＩＰサーバからの接続要求の通信の種別に応じて、種類の異なる複数の端末から構成される第一の端末群のいずれかの端末と接続を行う端末接続装置とからなる端末接続システムであって、前記第一の端末群以外の端末である他端末からの前記接続要求を、前記ＳＩＰサーバを介して受信する受信手段と、前記受信手段によって前記他端末から前記接続要求を受信すると、前記端末接続装置の第１登録部に予め登録されている種類の異なる複数の前記端末が対応可能な通信の種別情報に基づいて、種類の異なる複数の前記端末の中に受信した前記接続要求の通信の種別に対応可能な端末が存在するかを判定する判定手段と、前記判定手段によって対応可能な端末が存在すると判定された場合、対応可能と判定された前記端末と前記他端末との通信を成立させる通信制御手段とを備える。
【００１５】
この場合の端末接続システムでは、接続要求の通信の種別に応じて接続する端末が選択されるので、接続要求の通信の種別と、選択された端末が取り扱い可能な通信の種別との不整合が生じるのを未然に防ぐことができる。
【００１６】
本発明の第三の態様の接続方法では、ＳＩＰ（Ｓession Initiation Protocol）を用いて通信を行うＳＩＰサーバに接続され、前記ＳＩＰサーバからの接続要求の通信の種別に応じて、種類の異なる複数の端末から構成される第一の端末群のいずれかの端末と接続を行う端末接続装置の接続方法であって、前記第一の端末群以外の端末である他端末からの前記接続要求を、前記ＳＩＰサーバを介して受信する受信ステップと、前記他端末から前記接続要求を受信すると、前記端末接続装置の第１登録部に予め登録されている種類の異なる複数の前記端末が対応可能な通信の種別情報に基づいて、種類の異なる複数の前記端末の中に前記接続要求の通信の種別に対応可能な端末が存在するかを判定する判定ステップと、前記判定ステップにおいて対応可能な端末が存在すると判定された場合、対応可能と判定された端末と前記他端末との通信を成立させる通信制御ステップとを備える。
【００１７】
この場合の接続方法では、接続要求の通信の種別に応じて接続する端末が選択されるので、接続要求の通信の種別と、選択された端末が取り扱い可能な通信の種別との不整合が生じるのを未然に防ぐことができる。
【００１８】
本発明の第四の態様の端末への接続プログラムでは、ＳＩＰ（Ｓession Initiation Protocol）を用いて通信を行うＳＩＰサーバに接続され、前記ＳＩＰサーバからの接続要求の通信の種別に応じて、種類の異なる複数の端末から構成される第一の端末群のいずれかの端末との接続をコンピュータに実行させるための端末への接続プログラムであって、前記第一の端末群以外の端末である他端末からの前記接続要求を、前記ＳＩＰサーバを介して受信する受信ステップと、前記受信ステップにおいて、前記他端末から前記接続要求を受信すると、前記端末接続装置の第１登録部に予め登録されている種類の異なる複数の前記端末が対応可能な通信の種別情報に基づいて、種類の異なる複数の前記端末の中に前記接続要求の通信の種別に対応可能な端末が存在するかを判定する判定ステップと、前記判定ステップで対応可能な端末が存在すると判定された場合、対応可能と判定された端末と前記他端末との通信を成立させる通信制御ステップとを備える。
【００１９】
この場合の接続プログラムでは、端末接続装置の各処理手段としてコンピュータを機能させることが可能となる。
【図面の簡単な説明】
【００２０】
【図１】端末接続システム１の概要を示す模式図である。
【図２】端末接続装置５の電気的構成を示す模式図である。
【図３】端末３，端末６１の電気的構成を示す模式図である。
【図４】端末６３の電気的構成を示す模式図である。
【図５】ＨＤＤ５４に登録される端末の登録情報のリストを示す模式図である。
【図６】登録要求処理を示すフローチャートである。
【図７】登録要求処理時における登録画面を示す模式図である。
【図８】着呼処理１を示すフローチャートである。
【図９】着呼処理１のシーケンス図である。
【図１０】着呼処理２を示すフローチャートである。
【図１１】設定要求処理を示すフローチャートである。
【図１２】登録情報テーブル４０１の一例を示す模式図である。
【図１３】端末登録画面４２１の一例を示す模式図である。
【図１４】設定要求処理終了後にＨＤＤ５４に登録される端末の登録情報のリストを示す模式図である。
【図１５】第４実施の形態に係る端末接続装置５０の電気的構成を示す模式図である。
【図１６】着呼処理３を示すフローチャートである。
【図１７】発呼処理時のシーケンス図である。
【図１８】端末接続装置５と端末６１、端末６３、及び端末６５の接続形態の変形例を示す図である。
【発明を実施するための形態】
【００２１】
以下、本発明の端末接続装置について、図面を参照して説明する。なお、これらの図面は、本発明が採用しうる技術的特徴を説明するために用いられるものであり、記載されている装置、端末の構成、各種処理のフローチャートなどは、特に特定的な記載がない限り、単なる説明例である。
【００２２】
はじめに、第１実施の形態に係る端末接続装置を説明する。図１に示すように、端末接続システム１は、インターネット２に接続された端末３とＳＩＰサーバ４、ＳＩＰサーバ４にイーサネット（登録商標）接続された端末接続装置５、及び端末接続装置５にＬＡＮ接続された３台の端末６１、端末６３、端末６５、及びアクセスポイントを備える無線ＬＡＮルータ７から構成される。端末接続装置５、端末６１、端末６３、及び端末６５は、ユーザ６によって所有されている。端末３は、ユーザ９によって所有されている。本実施の形態に係る端末接続システム１では、ＩＰ電話機能を実現するための呼制御プロトコルとして、ＳＩＰ（Ｓession Initiation Protocol）が用いられる。
【００２３】
ユーザ６及び９には、ユーザを識別するための識別情報が割り当てられている。ＳＩＰにおいては「ＳＩＰアドレス」が識別情報に相当する。ユーザは、ＳＩＰアドレスを指定して特定ユーザの端末を呼び出すことによって、特定のユーザと通信を行うことが可能となる。図１に示す例では、ユーザ９の端末３には、ＳＩＰアドレス「hanako@hoge.co.jp」が割り当てられている。端末接続装置５には、ＳＩＰアドレス「taro@hogehoge.co.jp」が割り当てられている。また、端末６１、端末６３及び端末６５には、端末接続装置５が端末を識別するためのＩＤである識別ＩＤ「011」、「012」、及び「013」がそれぞれ割り当てられている。
【００２４】
次に、ＳＩＰサーバ４について説明する。本実施の形態では、ＳＩＰサーバ４の機能のうちレジスタ機能及びプロキシ機能について概説する。しかしながら、他の機能（相手のＳＩＰ  ＵＡの移動先を調べる機能（リダイレクト機能））を備えていても良い。
【００２５】
はじめに、ＳＩＰサーバ４が備えるレジスタ機能について概説する。端末３及び端末接続装置５は、ＳＩＰサーバ４に対してＩＰアドレスを含む情報の登録を要求する信号（以下、「登録要求信号（REGISTER）」という。）を送信する。ＳＩＰサーバ４は、登録要求信号（REGISTER）を受信すると、端末３及び端末接続装置５のＳＩＰアドレスと、前記ＳＩＰアドレスと一対一に対応付けられているＩＰアドレスとを登録し管理する。登録された端末から通話の開始を要求するための信号（以下、「接続要求信号（Invite）」という。）を受信すると、ＳＩＰサーバ４は、登録された端末間の通信を実行させる。一方、ＩＰアドレスが登録されていない端末から接続要求信号（Invite）を受信した場合には、ＳＩＰサーバ４は、接続要求信号（Invite）を送信した端末と接続要求先の端末との通信を実行させない。
【００２６】
次に、ＳＩＰサーバ４が備えるプロキシ機能について概説する。ＳＩＰサーバ４は、登録された端末から接続要求信号（Invite）を受信すると、指定されたＳＩＰアドレスに基づいて接続要求先のＩＰアドレスを調査し、受信した接続要求信号（Invite）を調査した端末に対して転送する。以降、ＳＩＰに基づき各端末から送信される信号を、通信相手である端末に転送する。このようにして所定の一連の通信手続きが完了すると、端末間での通信が可能となる。
【００２７】
次に、端末接続装置５について説明する。端末接続装置５は、端末６１、端末６３、及び端末６５から登録要求信号（REGISTER）を受信すると、識別ＩＤを後述するハードディスク５４（以下、「ＨＤＤ」という）に記憶する。また、端末６１、端末６３、及び端末６５から端末の情報を取得し、ＨＤＤ５４に登録情報（後述する）として記憶する。さらに、端末接続装置５は、ＳＩＰサーバ４から接続要求信号（Invite）を受信すると、前記登録情報に基づいて接続する端末を選択し、選択された端末にＩＰアドレスを割り当てた後に、ＳＩＰサーバ４に該ＩＰアドレスを送信する。
【００２８】
次に、端末３について説明する。端末３は、パーソナルコンピュータ（以下、「ＰＣ」という。）である。ソフトフォンがインストールされており、インターネット２経由で端末６１、端末６３及び端末６５と通信可能である。対応可能な通信の種別は、音声通信（ＩＰ電話）、画像・音声通信及びテキストメッセージ通信である。端末６１は、端末３と同様にソフトフォンがインストールされたＰＣである。インターネット２経由で端末３と音声通信（ＩＰ電話）、画像・音声通信及びテキストメッセージ通信が可能である。端末６３は、スマートフォンであり、無線アクセスポイントの機能を備える無線ＬＡＮルータ７と無線通信を行うことによって端末接続装置５に接続される。音声通信（ＩＰ電話）及びテキストメッセージ通信が可能である。端末６５は、固定電話であり、音声通信（ＩＰ電話）のみ可能である。ユーザ６は、端末３からの接続要求の通信の種別に応じてこれら端末を使い分けることができる。
【００２９】
次に、図２を参照し、端末接続装置５の電気的構成について説明する。図２に示すように、端末接続装置５は、端末の情報の登録制御や端末間の呼制御等が実行されるＣＰＵ５１、ブートプログラムやＢＩＯＳが記憶されるＲＯＭ５２、入力情報等が一時的に記憶されるＲＡＭ５３、プログラムや前記登録情報等が登録されるＨＤＤ５４を備えている。そして、ＣＰＵ５１とＲＯＭ５２、ＲＡＭ５３、及びＨＤＤ５４とは、其々電気的に接続されている。ＣＰＵ５１は、ＲＯＭ５２、ＲＡＭ５３、及びＨＤＤ５４の記憶領域に対してアクセスすることが可能となっている。
【００３０】
ＨＤＤ５４は、識別ＩＤ登録領域５４２、通信種別登録領域５４３、優先順位登録領域５４４、プレゼンス登録領域５４５及び図示しないその他の領域をえている。識別ＩＤ登録領域５４２には、端末６１、端末６３、及び端末６５のそれぞれの識別ＩＤが登録される。通信種別登録領域５４３には、端末６１、端末６３、及び端末６５が対応可能な通信の種別に関する情報が登録される。
【００３１】
優先順位登録領域５４４には、端末３からの接続要求に対して接続する端末の優先順位が通信の種別毎に登録される。なお、以下では、優先順位が最も高い端末を第１優先端末、優先順位が２番目に高い端末を第２優先端末、優先順位が３番目に高い端末を第３優先端末という。プレゼンス登録領域５４５には、端末６１、端末６３、及び端末６５の現在の利用状況が登録され、本実施の形態ではオンライン/オフライン情報が登録される。なお、プレゼンス情報を除くこれらの情報の各登録領域への登録は、後述する登録要求処理を実行することにより行われる。また、端末６１及び端末６３のプレゼンス情報は所定の時間（例えば、１０分）毎に端末接続装置５が該端末にアクセスすることによって取得され、端末６５は固定電話であるので、プレゼンス情報は常にオンラインである。
【００３２】
端末接続装置５は、ＳＩＰサーバ４及び端末６１、端末６３、及び端末６５に接続する為の通信モジュール５７を備えている。通信モジュール５７は、ＣＰＵ５１と電気的に接続されている。ＣＰＵ５１は、所望のデータをＳＩＰサーバ４や端末６１、端末６３又は端末６５に送信することが可能となっている。またＣＰＵ５１は、ＳＩＰサーバ４や端末６１、端末６３及び端末６５から受信されるデータを認識することが可能となっている。また、通信モジュール５７は、アンテナ５８１を備える無線インターフェイス５８（以下、「無線I/F」という。）と電気的に接続されており、無線ＬＡＮルータ７（図１に示す）を介して端末６３と無線通信を行う。
【００３３】
端末接続装置５は、ディスプレイ５５１に画像を表示させることが可能な表示ドライバ５５を備えている。ＣＰＵ５１と表示ドライバ５５とは電気的に接続されている。また、表示ドライバ５５とディスプレイ５５１とは電気的に接続されている。ＣＰＵ５１は、ディスプレイ５５１に所望の画像を表示させることが可能となっている。
【００３４】
端末接続装置５は、キーボード５６１を介してユーザによって入力される情報を検出することが可能な入力ドライバ５６を備えている。ＣＰＵ５１と入力ドライバ５６とは電気的に接続されている。また、入力ドライバ５６とキーボード５６１とは電気的に接続されている。ＣＰＵ５１は、キーボード５６１を介して入力される情報を認識することが可能となっている。
【００３５】
次に、図３を参照し、端末３及び端末６１の電気的構成について説明する。図３に示すように、端末３及び端末６１は、端末接続装置５への端末情報の登録要求や通話のための通信制御が実行されるＣＰＵ７１、ＣＰＵ７１の実行するプログラムやディスプレイ７５１に表示させる画像データ等が記憶されるＲＯＭ７２、送信されてきたデータ等を一時的に保存するＲＡＭ７３を備えている。ＣＰＵ７１とＲＯＭ７２及びＲＡＭ７３とは、其々電気的に接続されている。ＣＰＵ７１は、ＲＯＭ７２及びＲＡＭ７３の記憶領域に対してアクセスすることが可能となっている。
【００３６】
端末３及び端末６１は、それぞれインターネット２及び端末接続装置５に接続する為の通信モジュール７４を備えている。ＣＰＵ７１と通信モジュール７４とは電気的に接続されている。ＣＰＵ７１は、所望のデータを送信することが可能となっている。またＣＰＵ７１は、受信されるデータを認識することが可能となっている。
【００３７】
端末３及び端末６１は、本体外部に設置されたディスプレイ７５１と、画像をディスプレイ７５１に表示させることが可能な表示ドライバ７５とを備えている。
ＣＰＵ７１と表示ドライバ７５とは電気的に接続されている。表示ドライバ７５とディスプレイ７５１とは電気的に接続されている。ＣＰＵ７１は、ディスプレイ７５１に所望の画像を表示させることが可能となっている。
【００３８】
端末３及び端末６１は、本体外部に設置されたキーボード７６１と、キーボード７６１を介してユーザによって入力される情報を検出することが可能な入力ドライバ７６とを備えている。ＣＰＵ７１と入力ドライバ７６とは電気的に接続されている。入力ドライバ７６とキーボード７６１とは電気的に接続されている。ＣＰＵ７１は、キーボード７６１を介して入力される情報を認識することが可能となっている。
【００３９】
次に、図４を参照して、端末６３の電気的構成について説明する。図４に示すように、端末６３は、端末接続装置５への端末情報の登録要求や通話のための通信制御が実行されるＣＰＵ８１、ＣＰＵ８１の実行するプログラム等が記憶されるＲＯＭ８２、データ等を一時的に保存するＲＡＭ８３、表示ドライバ８４及び入力ドライバ８５を備えている。そして、ＣＰＵ８１とＲＯＭ８２、ＲＡＭ８３、表示ドライバ８４及び入力ドライバ８５とは、其々電気的に接続されている。ＣＰＵ８１は、ＲＯＭ８２及びＲＡＭ８３の記憶領域に対してアクセスすることが可能となっている。
【００４０】
端末６３は、タッチパネル８４１を備えている。タッチパネル８４１は、タッチパネル８４１に画像を表示させる表示ドライバ８４及びユーザからタッチパネル８４１を介して入力される情報を検出することが可能な入力ドライバ８５に電気的に接続されている。
【００４１】
端末６３は、端末接続装置５に接続する為の通信モジュール８６を備えている。ＣＰＵ８１と通信モジュール８６とは電気的に接続されている。また、通信モジュール８６は、無線インターフェイス８７（以下、「無線I/F」という。）と接続され、無線I/F８７はアンテナ８７１に接続されている。ＣＰＵ８１は、所望のデータを端末接続装置５に送信することが可能となっている。またＣＰＵ８１は、端末接続装置５から受信されるデータを認識することが可能となっている。なお、端末６５の電気的構成については公知であるので詳しい説明は割愛する。
【００４２】
次に、図５を参照して、端末接続装置５のＨＤＤ５４に登録されている登録情報について説明する。図５は、ＨＤＤ５４に登録されている端末６１、端末６３及び端末６５の登録情報を関連付けて模式的に表した登録テーブル４０である。図４に示すように、登録テーブル４０は、端末名と識別ＩＤとの情報、対応可能な通信の種別情報、優先順位情報、及びプレゼンス情報から構成される。
【００４３】
図５に示すように、端末６１は、音声通信、音声・画像通信、及びテキストメッセージ通信に対応可能であることを示す。具体的には、端末６１は、通信の種別が音声の場合第３優先端末であり、また通信の種別が音声・画像の場合第１優先端末であり、さらに通信の種別がテキストメッセージの場合では第１優先端末であることを示す。端末６３は、音声通信及びテキストメッセージ通信に対応可能であることを示し、音声・画像通信には対応していないことを示す。具体的には、端末６３は、通信の種別が音声の場合第１優先端末であり、通信の種別がテキストメッセージである場合第２優先端末であり、通信の種別が音声・画像の場合には「×」印に示されるように対応していないことを示す。端末６５は、音声通信のみ対応可能であることを示す。具体的には、端末６５は、通信の種別が音声である場合、第２優先端末であり、通信の種別が音声・画像及びテキストメッセージである場合には、「×」印で示されるようにこれら通信の種別には対応していないことを示す。プレゼンスは、３つの端末６１、端末６３及び端末６５ともオンラインとなっており、利用可能状態であることを示す。
【００４４】
点線４１、点線４２、及び点線４３内の数字は、通信の種別毎に優先的に接続する端末の順位を表している。具体的には、点線４１内の数字は、接続要求の通信の種別が音声通信である場合、第１優先端末が端末６３、第２優先端末が端末６５及び第３優先端末が端末６１であることを示している。また、点線４２内の数字は、接続要求の通信の種別が音声・画像通信である場合、第１優先端末が端末６１であることを示し、端末６３及び端末６５は音声・画像通信に対応していないことを示す。さらに、点線４３内の数字は、接続要求の通信の種別がテキストメッセージ通信である場合、第１優先端末が端末６１、第２優先端末が端末６３であることを示し、端末６５はテキストメッセージ通信に対応していないことを示す。
【００４５】
次に、図６を参照して、端末接続装置５のＣＰＵ５１（図２に示す）にて実行される登録要求処理について説明する。なお、この処理は、ＲＯＭ５２に記憶されているプログラムを実行することにより実現される。図に示すように、登録要求処理では、図２に示すキーボード５６１から登録要求の指示を受け付けたかが判定される（Ｓ７１）。登録要求の指示を受け付けていない場合（Ｓ７１：ＮＯ）、Ｓ７１に戻り、登録要求の受け付けが監視される。登録要求の指示を受け付けた場合（Ｓ７１：ＹＥＳ）、図２に示すディスプレイ５５１に図示しないログオン画面を表示し、ユーザからのパスワード等の入力を待つ。パスワード等が入力されログオンが行われると（Ｓ７３）、図２に示すディスプレイ５５１の画面上に図７に示す登録画面４５が表示される（Ｓ７５）。図７に示す登録画面４５には、入力テーブル４７が表示され、入力テーブル４７には端末名(識別ＩＤ)、対応可能な通信の種別、及び「各項目を入力して下さい。」のメッセージと伴に入力テーブル４７への入力が完了した際に押される完了ボタン４９が表示される。この後、ユーザ６は、図２に示すキーボード５６１を介して端末毎に対応可能な通信の種別と、通信の種別毎の端末の優先順位とを入力テーブル４７に入力する。
【００４６】
次に、登録指示がなされたかが判定される（Ｓ７７）。登録指示がない場合（Ｓ７７：ＮＯ）、登録指示を監視する。一方、完了ボタン４９が押されることにより登録指示がなされると（Ｓ７７：ＹＥＳ）、各項目の入力情報がＨＤＤ５４の各登録領域（図２に示す）にそれぞれ登録される（Ｓ７９）。図２に示すディスプレイ５５１に図示しないログオフ画面が表示され、ログオフ指示があるかが判定される（Ｓ８１）。ログオフ指示がない場合（Ｓ８１：ＮＯ）、Ｓ８１に戻り、ログオフ指示を監視する。一方、ログオフ指示がある場合（Ｓ８１：ＹＥＳ）、ログオフを行い（Ｓ８３）、処理を終了する。この処理により、ＨＤＤ５４に端末６１、端末６３、及び端末６５の対応可能な通信の種別情報と、通信の種別毎の端末の優先順位情報とが登録される。なお、端末６１及び端末６３のプレゼンス情報は、登録要求処理の終了後、端末接続装置５が端末６１及び端末６３にアクセスすることにより取得され、プレゼンス登録領域５４５に登録される。また、端末６５のプレゼンス情報は、常にオンラインとしてプレゼンス登録領域５４５に登録される。この処理によってＨＤＤ５４に登録された端末の登録情報を模式的に表したのが図４に示す登録テーブル４０である。
【００４７】
次に、図８を参照して、端末接続装置５のＣＰＵ５１にて実行される着呼処理１について説明する。なお、この処理は、ＲＯＭ５２に記憶されているプログラムを実行することにより実現される。
【００４８】
端末３からＳＩＰサーバ４に対して接続要求信号（Invite）が送信されると、ＳＩＰサーバ４は端末接続装置５に接続要求信号（Invite）を転送する。図８に示すように、着呼処理１では、ＳＩＰサーバ４から接続要求信号（Invite）を受信したかが判定される（Ｓ９１）。接続要求信号（Invite）を受信していない場合（Ｓ９１：ＮＯ）、Ｓ９１に戻り、継続しての接続要求信号（Invite）の受信が監視される。
【００４９】
一方、接続要求信号（Invite）を受信した場合（Ｓ９１：ＹＥＳ）、ＨＤＤ５４の通信種別登録領域５４３に登録されている登録情報を読み出し、接続要求の通信の種別に対応可能な端末が存在するかが判定される（Ｓ９３）。なお、読み出された登録情報はＲＡＭ５３に一時的に保存される。対応可能な端末が存在しないと判定された場合（Ｓ９３：ＮＯ）、ステップＳ１２７に進む。一方、対応可能な端末が存在すると判定された場合（Ｓ９３：ＹＥＳ）、第１優先端末への接続が可能かが判定される（Ｓ９５）。
【００５０】
具体的には、接続要求の通信の種別が音声通信の場合、ＣＰＵ５１は通信種別登録領域５４３にアクセスして音声通信に対応可能な端末の登録情報を読み出し、音声通信に対応可能な端末が存在するかを判定する（Ｓ９３）。そして、音声通信に対応可能な端末が存在する場合（Ｓ９３：ＹＥＳ）、優先順位登録領域５４４から音声通信に対応可能な端末の優先順位情報を読み出し、第１優先端末を特定する。最後に、プレゼンス登録領域５４５から第１優先端末のプレゼンス情報を読み出し、第１優先端末への接続が可能かを判定する（Ｓ９５）。
【００５１】
例えば、図５において、音声通信に対応可能な端末は存在し、点線４１に示すように、第１優先端末が端末６３、第２優先端末が端末６５、第３優先端末が端末６１であるので、第１優先端末を端末６３と特定する。次に、端末６３のプレゼンス情報は、「オンライン」であるので、第１優先端末である端末６３への接続は可能であると判定する。
【００５２】
次に、第１優先端末への接続が可能と判定されると（Ｓ９５：ＹＥＳ）、発信側へ転送トーキを起動させ（Ｓ９７）、第１優先端末にＩＰアドレスを割り当て、ＳＩＰサーバ４に割り当てたＩＰアドレスを送信する（Ｓ９９）。
【００５３】
ＳＩＰサーバ４は、受信したＩＰアドレスを端末３に転送する。ＩＰアドレスを受信した端末３は、該ＩＰアドレスを使用して、選択された端末への接続要求信号（Invite）をＳＩＰサーバ４に送信する。接続要求信号（Invite）を受信したＳＩＰサーバ４は端末接続装置５に接続要求信号（Invite）を転送する。
【００５４】
ＳＩＰサーバ４から接続要求信号（Invite）を受信した端末接続装置５は、第１優先端末に着信通知を送信し（Ｓ１０１）、第１優先端末から応答があるかを判定する（Ｓ１０３）。応答がある場合（Ｓ１０３：ＹＥＳ）、ステップＳ１２５に進む。一方、応答がない場合（Ｓ１０３：ＮＯ）、第２優先端末への接続が可能かが判定される（Ｓ１０５）。具体的には、ＲＡＭ５３に一時的に保存されている端末の優先順位情報と、プレゼンス登録領域５４５から読み出された第２優先端末のプレゼンス情報とを参照して、第２優先端末への接続が可能かが判定される。
【００５５】
第２優先端末への接続が可能と判定されると（Ｓ１０５：ＹＥＳ）、発信側へ転送トーキを起動させ（Ｓ１０７）、第２優先端末にＩＰアドレスを割り当て、該ＩＰアドレスをＳＩＰサーバ４に送信する（Ｓ１０９）。ＳＩＰサーバ４から接続要求信号（Invite）を受信すると、第２優先端末に着信通知を送信し（Ｓ１１１）、第２優先端末から応答があるかが判定される（Ｓ１１３）。応答がある場合（Ｓ１１３：ＹＥＳ）、ステップＳ１２５に進む。第２優先端末からの応答がない場合（Ｓ１１３：ＮＯ）、第３優先端末への接続が可能かが判定される（Ｓ１１５）。なお、前記判定の方法は、第２優先端末の場合と同じである。
【００５６】
第３優先端末への接続が可能と判定されると（Ｓ１１５：ＹＥＳ）、発信側へ転送トーキを起動させ（Ｓ１１７）、第３優先端末にＩＰアドレスを割り当て、該ＩＰアドレスをＳＩＰサーバ４に送信する（Ｓ１１９）。ＳＩＰサーバ４から接続要求信号（Invite）を受信すると、第３優先端末に着信通知を送信し（Ｓ１２１）、第３優先端末から応答があるかが判定される（Ｓ１２３）。応答がある場合（Ｓ１２３：ＹＥＳ）、Ｓ１２５に進む。一方、応答がない場合（Ｓ１２３：ＮＯ）、Ｓ１２７に進む。Ｓ１２５では、通話の終了通知信号を受信したかが判定される。終了通知信号を受信していない場合（Ｓ１２５：ＮＯ）、Ｓ１２５に戻り、継続しての終了通知信号の受信が監視される。終了通知信号を受信した場合（Ｓ１２５：ＹＥＳ）、Ｓ９１に戻り、継続しての接続要求信号(Invite)受信が監視される。一方、Ｓ１２７では、不在応答処理が行わる。具体的には、発信側へ留守電トーキを起動させ、発信側のユーザに留守番電話への登録を促す。次に、Ｓ９１に戻り、継続しての接続要求信号(Invite)受信が監視される。
【００５７】
次に、図９に示すシーケンス図を参照して、図８に示す着呼処理１を実行する際の、ＳＩＰに基づく信号の送受信について説明する。なお、接続要求元を端末３、接続要求先を端末６３として説明する。なお、ここでは、登録要求（REGISTER）を単に「REGISTER」、音声通信での接続要求((Invite(Voice))を単にInvite(Voice)という。
【００５８】
図９に示すように、端末３及び端末接続装置５は、ＳＩＰサーバ４に対してREGISTER３０１及び３４１をそれぞれ送信する。ＳＩＰサーバ４は、REGISTER３０１及び３４１を受信すると、端末３及び端末接続装置５のＩＰアドレスを登録する。
【００５９】
端末６１、端末６３及び端末６５は、端末接続装置５に対してREGISTER３８１を送信する。REGISTER３８１を受信した端末接続装置５は端末の識別ＩＤを登録する。この後、ユーザ６は、端末接続装置５のキーボード５６１から各端末の対応可能な通信の種別及び端末の優先順位をＨＤＤ５４の各登録領域に登録する。また、端末接続装置５は、ＩＰアドレスが登録された端末にアクセスすることによって各端末のプレゼンス情報を取得する。
【００６０】
ＳＩＰサーバ４は、端末３からInvite(Voice)３０３を受信すると、端末接続装置５にInvite(Voice)３４３を転送する。端末接続装置５は、Invite(Voice)３４３を受信すると、図８のフローチャートに示すＳ９３、Ｓ９５、Ｓ１０５又は/及びＳ１０５の各処理を実行することによって接続する端末を選択する。なお、本実施の形態の場合、前述したように端末６３が接続先の端末に選択されたものとして説明する。
【００６１】
上記処理と並行して、端末接続装置５は、ＳＩＰサーバ４に対して呼び出し中である旨を表すRinging３４５を、次に呼び出し成功を示す200OK３４７をそれぞれ送信する。これらを受信したＳＩＰサーバ４は、Ringing３０５及び200OK３０７を端末３にそれぞれを転送する。
【００６２】
上記処理が終了すると、端末接続装置５は、ＳＩＰサーバ４に対して保留中である旨を示すInvite(hold)３４９を送信し、Invite(hold)３４９を受信したＳＩＰサーバ４は、端末３にInvite(hold)３０９を転送する。端末３は、受信成功を示す200OＫ３１１をＳＩＰサーバ４に送信し、200OK３１１を受信したＳＩＰサーバ４は、200OK３５１を端末接続装置５に転送する。200OK３５１を受信した端末接続装置５は、図８のステップＳ９７、ステップＳ１０７又はステップＳ１１７のいずれかの処理を行い、端末３に転送キーを起動させ、電話が転送中であることを報知するＲＴＰ３１３を送信する。次に、端末接続装置５は、端末６３にＩＰアドレスを割り当てた後、図８に示すステップＳ９９、ステップＳ１０９又はステップＳ１１９のいずれかを実行することにより、ＳＩＰサーバ４に端末６３が選択されたことを示すRefer(TO;63)３５３を送信し、ＳＩＰサーバ４はRefer(TO;63)３１５を端末３に転送する。なお、Refer(TO;63)３１５及びRefer(TO;63)３５３には、選択された端末６３のＩＰアドレスが含まれている。
【００６３】
端末３は、ＩＰアドレスを受信したことを示す202Accepted３１７をＳＩＰサーバ４に送信し、ＳＩＰサーバ４は202Accepted３５５を端末接続装置５に転送する。次に、端末３は、ＳＩＰサーバ４に転送中であることを示すNotify３１９を送信し、ＳＩＰサーバ４は、Notify３５７を端末接続装置５に転送する。端末接続装置５は、Notify３５７を受信すると、了解である旨を示す200OK３５９をＳＩＰサーバ４に送信し、200OK３５９を受信したＳＩＰサーバ４は端末３に200OK３２１を転送する。端末接続装置５は、保留セッションの終了であることを示すＢｙｅ３６１をＳＩＰサーバ４に送信し、これを受けたＳＩＰサーバ４はＢｙｅ３２３を端末３に転送する。これによって、保留セッションが終了する。
【００６４】
次に、端末３は受信した端末６３のＩＰアドレスを利用して、端末６３へのInvite(Voice)３２５をＳＩＰサーバ４に送信し、Invite(Voice)３２５を受信したＳＩＰサーバ４は、Invite(Voice)３６３を端末接続装置５に転送する。Invite(Voice)３６３を受信した端末接続装置５は、図８に示すステップＳ１０１、ステップＳ１１１又はステップＳ１２１のいずれかを実行して、Invite(Voice)３８３を端末６３に送信する。端末６３は、Invite(Voice)３８３を受信すると、ユーザ６を呼び出し中であることを示すRinging３８５を端末接続装置５に送信する。Ringing３８５を受信した端末接続装置５はRinging３６５をＳＩＰサーバ４に転送し、これを受けたＳＩＰサーバ４はRinging３２７を端末３に転送する。ユーザ６が端末６３に出ると、ユーザが応答したことを示す200OK３８７が端末接続装置５に送信される。次に端末接続装置５は、200OK３６７をＳＩＰサーバ４に転送し、ＳＩＰサーバ４は200OK３２９を端末３に転送する。これによって、端末３と端末６３との音声通話が可能となり、音声通話中３３１となる。
【００６５】
音声通話が終了し、ＳＩＰサーバ４は端末３から通話が完了したことを示すＢｙｅ３３３を受信すると、Ｂｙｅ３６９を端末接続装置５に転送する、Ｂｙｅ３６９を受信した端末接続装置５は、Ｂｙｅ３８９を端末６３に転送する。Ｂｙｅ３８９を受信した端末６３は、了解を示す200OK３９１を端末接続装置５に送信し、200OK３９１を受信した端末接続装置５は、200OK３７１をＳＩＰサーバ４に転送し、ＳＩＰサーバ４は200OK３３５を端末３に転送する。
【００６６】
以上のように、本実施の形態では、接続要求信号(Invite)を受信すると、接続要求の通信の種別に応じて接続する端末が選択される。これによって、接続要求の通信の種別と、接続先に選択された端末との通信の種別の不整合を未然に防ぐことができる。また、ユーザが設定した端末の優先順位によって接続する端末が選択される。これにより、ユーザは通信の種別毎に優先的に利用したい端末を使用することができるので便利である。
【００６７】
次に、本発明の第２実施の形態に係る端末接続装置を説明する。本実施の形態は、ＳＩＰサーバ４からの接続要求の通信種別が音声・画像通信である場合、ユーザ６の所有する端末に音声・画像通信に対応可能な端末が存在しないか、又は対応可能な端末が存在しても該端末のプレゼンス状態がオフラインである際の処理に関するものである。なお、本実施の形態に係る端末接続システムの構成、端末接続装置の電気的構成及び端末の電気的構成は、第１実施の形態におけるものと同じなので、これらに同じ符号を付し、詳細な説明は割愛する。
【００６８】
次に、図１０を参照して、端末接続装置５のＣＰＵ５１にて実行される着呼処理２について説明するが、図８に示した着呼処理１と同じ処理については、同じステップ番号を付し、詳細な説明は割愛する。なお、この処理は、ＲＯＭ５２に記憶されているプログラムを実行することにより実現される。着呼処理２は、ＳＩＰサーバ４から接続要求信号（Invite）を受信すると実行される。
【００６９】
図１０に示すように、着呼処理２では、ＳＩＰサーバ４から音声・画像通信での接続要求信号（Invite）を受信したかが判定される（Ｓ１３１）。音声・画像通信での接続要求信号（Invite）を受信していない場合（Ｓ１３１：ＮＯ）、Ｓ１３１に戻り、継続しての音声・画像通信での接続要求信号（Invite）の受信が監視される。音声・画像通信での接続要求信号（Invite）を受信した場合（Ｓ１３１：ＹＥＳ）、図２に示すＨＤＤ５４の通信種別登録領域５４３に登録されている登録情報を読み出し、音声画像通信に対応可能な端末が存在するかが判定される（Ｓ１３３）。対応可能な端末が存在しないと判定された場合（Ｓ１３３：ＮＯ）、ステップＳ１４５に進む。
【００７０】
一方、対応可能な端末が存在すると判定された場合（Ｓ１３３：ＹＥＳ）、第１優先端末への接続が可能かが判定される（Ｓ１３５）。第１優先端末への接続が可能でないと判定されると（Ｓ１３５：ＮＯ）、ステップＳ１４５に進む。一方、第１優先端末への接続が可能と判定されると（Ｓ１３５：ＹＥＳ）、ステップＳ９７に進み、ステップＳ９７〜ステップＳ１０３の処理を行う。ステップＳ１０３で、第１優先端末から応答がある場合（Ｓ１０３：ＹＥＳ）、ステップＳ１２５に進む。一方、応答がない場合（Ｓ１０３：ＮＯ）、ステップＳ１４５に進む。
【００７１】
Ｓ１４５では、通信種別登録領域５４３に登録されている端末の中に音声通信に対応可能な端末があるかが判定される（Ｓ１４５）。対応可能な端末がない場合（Ｓ１４５：ＮＯ）、Ｓ１２７に進む。一方、対応可能な端末がある場合（Ｓ１４５：ＹＥＳ）、発信側へ音声通信のみのトーキを起動させ（Ｓ１４７）、ステップＳ１０９に進み、ステップＳ１０９〜ステップＳ１１３の処理を行う。
【００７２】
ステップＳ１１３で、応答がある場合（Ｓ１１３：ＹＥＳ）、ステップＳ１６５に進む。一方、応答がない場合（ステップＳ１１３：ＮＯ）、ステップＳ１５５に進む。ステップＳ１５５では、次の音声対応可能な端末があるかが判定される。次の音声通信に対応可能な端末がないと判定された場合（Ｓ１５５：ＮＯ）、ステップＳ１２７に進む。一方、次の音声通信に対応可能な端末があると判定された場合（Ｓ１５５：ＹＥＳ）、ステップＳ１１８に進み、ステップＳ１１７〜ステップＳ１２３の処理を行う。ステップＳ１２３で、応答がある場合（Ｓ１２３：ＹＥＳ）、ステップＳ１６５に進む。一方、応答がない場合（Ｓ１２３：ＮＯ）、ステップＳ１２７に進む。Ｓ１６５では、発信側の端末に音声通信でのメディア切り替え通知を送信し（Ｓ１６５）、ステップＳ１２５に進む。
【００７３】
具体的には、図５において、点線４２に示す音声・画像通信に対応可能な端末６１がオフラインである場合、（Ｓ１３５：ＮＯ）、音声通信に対応可能な端末があるかが判定される（Ｓ１４５）。図４に示す点線４１に示すように音声通信に対応可能な端末は存在し、第１優先端末である端末６３が選択され、端末６３に着信通知を送信し（Ｓ１１１）、端末６３から応答があるかが判定される（Ｓ１１３）。応答がない場合（Ｓ１１３：ＮＯ）、ステップＳ１５５に進み、第２優先端末である端末６５への接続が可能かが判定される（Ｓ１６５）。
【００７４】
なお、接続先の端末が選択された後の、ＳＩＰに基づく端末接続装置の信号の送受信のシーケンス図は、図９に示したものと同じなのでここでの詳細な説明は割愛する。以上のように、本実施の形態では音声・画像通信に対応可能な端末が存在しない場合又はオフラインで使用できない場合であっても、音声通信可能な端末が存在すれば、音声通信が可能な端末に接続されるので、ユーザは通信機会の損失を未然に防ぐことができる。
【００７５】
次に、本発明の第３の実施形態に係る端末接続装置を説明する。これまでは、図２に示すＨＤＤ５４に登録される端末の登録情報を端末接続装置５のキーボード５６１を用いて入力するものとしたが、本実施の形態では、端末６１又は端末６３から端末の登録情報の登録が可能としたものである。なお、本実施形態に係る端末接続システム構成、端末接続装置の電気的構成及び端末の電気的構成は、第１実施の形態におけるものと同じなので、これらに同じ符号を付し、詳細な説明は割愛する。
【００７６】
次に、図１１を参照して、端末接続装置５のＣＰＵ５１にて実行される端末からの設定要求処理について説明する。なお、この処理は、ＲＯＭ５２に記憶されているプログラムを実行することにより実現される。図１１に示すように、設定要求処理では、端末６１又は端末６３から登録情報の設定要求の信号を受信したかが判定される（Ｓ１７１）。設定要求の信号を受信していない場合（Ｓ１７１：ＮＯ）、Ｓ１７１に戻り、設定要求の信号の受信を監視する。設定要求の信号を受信した場合（Ｓ１７１：ＹＥＳ）、ＨＤＤ５４に登録されている登録情報を、設定要求を送信してきた端末に送信する（Ｓ１７３）。以下では、端末６３から設定要求がなされたとして説明する。
【００７７】
端末接続装置５から登録情報を受信した端末６３は、タッチパネル８４１に登録情報テーブル４０１（図１２に示す）を表示する。図１２に示すように、登録情報テーブル４０１には、登録情報４０３、新規ボタン４０５、変更ボタン４０７、削除ボタン４０９及びログオフボタン４１１が表示されている。登録情報４０３は、識別ＩＤ、通信種別及び優先順位からなる。新規ボタン４０５は、新たに端末を登録する際に押されるボタンである。変更ボタン４０７は、ＨＤＤ５４に登録されている登録情報を変更する際に押されるボタンである。削除ボタン４０９は、ＨＤＤ５４から登録情報を削除する際に押されるボタンである。ログオフボタン４１１は、端末からの設定要求処理を終了する際に押されるボタンである。
【００７８】
新規ボタン４０５が押されると、端末６３のタッチパネル８４１に図１３に示す端末登録画面４２１が表示される。端末登録画面４２１には、登録先の端末接続装置のＩＰアドレス表示欄４２３、端末名入力欄４２５、通信種別入力欄４２７欄、優先順位入力欄４２９、及び送信ボタン４３１が表示される。
【００７９】
登録先の端末接続装置のＩＰアドレス表示欄４２３には、新規の端末を登録する端末接続装置５のＩＰアドレスが表示される。端末名入力欄４２５には、新規に登録する端末名が入力される。通信種別入力欄４２７には、新規の端末が対応可能な通信の種別が入力される。優先順位入力欄４２９には、通信種別入力欄４２７で入力した通信の種別に対応可能な端末間での優先順位が入力される。ユーザによって、図１３に示すように、すべての項目が入力され、送信ボタン４３１が押される。
【００８０】
図１１に示すように、設定情報を受信したかが判定され（Ｓ１７５）、設定情報を受信していない場合（Ｓ１７５：ＮＯ）、設定情報の受信を監視する。一方、設定情報を受信した場合（Ｓ１７５：ＹＥＳ）、受信した設定情報が新規端末の登録要求であるかが判定される（Ｓ１７７）。新規端末の登録要求である場合（Ｓ１７７：ＹＥＳ）、ＨＤＤ５４へ新規端末の登録情報が登録され（Ｓ１７９）、Ｓ１８９に進む。受信した設定情報が新規端末の登録要求でない場合（Ｓ１７７：ＮＯ）、受信した設定情報が登録情報の更新要求かが判定される（Ｓ１８１：ＮＯ）。更新要求である場合（Ｓ１８１：ＹＥＳ）、ＨＤＤ５４の各登録領域に登録されている登録情報を受信した設定情報に従って更新し（Ｓ１８３）、Ｓ１８９に進む。一方、更新要求でない場合（Ｓ１８１：ＮＯ）、登録情報の削除要求であるから指定された端末の登録情報をＨＤＤ５４の各登録領域から削除し（Ｓ１８５）、残りの端末の優先順位を更新し（Ｓ１８7
）、Ｓ１８９に進む。Ｓ１８９では、図１２に示すログオフボタン４１１が押されることによって、設定完了通知の信号を受信したかが判定される（Ｓ１８９）。設定完了通知の信号を受信していない場合（Ｓ１８９：ＮＯ）、Ｓ１８９に戻り設定完了通知の信号の受信を監視する。一方、設定完了通知の信号を受信すると（Ｓ１８９：ＹＥＳ）、設定要求処理を終了する。
【００８１】
例えば、端末６３から新規端末の登録要求を受信すると、端末接続装置５は、図５に模式的に示した登録テーブル４０を端末６３に送信する。登録テーブル４０を受信した端末６３は、タッチパネル８４１に図１２に示す登録情報テーブル４０１を表示させる。ユーザ６によって新規ボタン４０５が押されると、図１３に示す端末登録画面４２１が表示される。各項目の入力設定が完了して送信ボタン４３１が押されると、設定情報は端末接続装置５に送信される。端末接続装置５は、受信した設定情報に基づき新規端末の各情報をＨＤＤ５４登録し、優先順位を更新する。図１４は、登録更新後のＨＤＤ５４に登録された登録情報を関連付けて模式的に示したものである。図１４に示すように、登録テーブル４４０には、新規の端末６７の識別ＩＤ「014」及び通信の種別がそれぞれ登録される。また。図１３に示すように端末６７の通信の種別（音声通信）の優先順位が３位であるため、音声通信の優先順位が点線４８内の数字のように、端末６３が第１優先端末、端末６５が第２優先端末、端末６７が第３優先端末、そして端末６１が第４優先端末に更新される。以上のように、本実施の形態によれば、ユーザは、端末６１又は端末６３から新規端末の登録、登録情報の変更及び登録情報の削除が可能となるので新規端末の登録等のために端末接続装置５の設置場所までわざわざ行く必要がなく便利である。
【００８２】
次に、本発明の第４実施の形態に係る端末接続装置を説明する。これまでの実施の形態では、ワイヤレス端末である端末６３を利用してきた。しかしながら、電波状況により端末６３が使用できない場合や使用できても電波状況が悪く通信に適さない場合がある。本実施の形態では、端末６３の放射する電波の強度の測定結果を、接続先の端末を選択する際に利用するものである。なお、端末接続ステム及び端末の電気的構成は、第１実施形態と同じであるので、これらの詳細に説明は割愛する。
【００８３】
はじめに、図１５を参照して、端末接続装置５０の電気的構成について説明する。なお、第１実施の形態におけるものと同じ機能を有するものは同じ記号を付し、詳細な説明は割愛する。図１５は、端末接続装置５０の電気的構成を示した図である。図に示すように、第１実施の形態で説明した端末接続装置５の構成に加え、本実施の形態に係る端末接続装置５０は、受信電界強度判定部５９を備えている。受信電界強度判定部５９には、所定の受信電界強度の値（例えば、４０ｄBμV/m）が登録されており、無線ＬＡＮルータ７を介して端末６３が放射する電波の受信電界強度を取得し、取得された受信電界強度が所定値以上であるかを判定する。
【００８４】
次に、図１６を参照して、端末接続装置５０のＣＰＵ５１にて実行される着呼処理３について説明するが、図８に示す着呼処理１と同じ処理については、同じステップ番号を付し、詳細な説明は割愛する。なお、この処理は、ＲＯＭ５２に記憶されているプログラムを実行することにより実現される。着呼処理３では、ステップＳ９１、ステップＳ９３の処理を行った後、ステップＳ９５において、第１優先端末への接続が可能かが判定され、第１優先端末への接続が可能と判定された場合（Ｓ９５：ＹＥＳ）、第１優先端末がワイヤレス端末であるかが判定される（Ｓ５００）。第１優先端末がワイヤレス端末でないと判定された場合（Ｓ５００：ＮＯ）、ステップＳ９７に進む。一方、第１優先端末がワイヤレス端末であると判定されると（Ｓ５００：ＹＥＳ）、前記ワイヤレス端末が放射する電波の受信電界強度の値が設定値以上であるかが判定される（Ｓ５１０）。受信電界強度の値が設定値以上であると判定されると（Ｓ５１０：ＹＥＳ）、ステップＳ９７に進む。一方、受信電界強度が設定値未満であると判定されると（Ｓ５１０：ＮＯ）、ステップＳ１０５に進む。
【００８５】
以上のように本実施の形態によれば、第１優先端末がワイヤレス端末であるかが判定される（Ｓ５００）。第１優先端末がワイヤレス端末であると判定されると（Ｓ５００：ＹＥＳ）、ワイヤレス端末が放射する電波の受信電界強度が取得されて、受信電界強度が設定値以上であるかが判定され（Ｓ５１０）、設定値未満である場合（Ｓ５１０：ＮＯ）、第２優先端末が選択される。これにより、ワイヤレス端末が放射する電波の強度の測定結果が端末を選択される際に利用されるので、電波状況の悪い時にワイヤレス端末が選択され、前記ワイヤレス端末が通信に適さない状況に陥り通信困難になるのを未然に防ぐことができる。
【００８６】
次に、図１７に示すシーケンス図を参照して、端末接続装置５のＣＰＵ５１にて実行される発呼処理について説明する。この発呼処理は、端末６１、端末６３及び端末６５のいずれかから端末３へ接続する際に実行される処理である。なお、この処理は、ＣＰＵ５１がＲＯＭ５２に記憶されているプログラムを実行することにより実現される。
【００８７】
図１７に示すように、端末接続装置５及び端末３は、ＳＩＰサーバ４に対して登録要求信号（REGISTER）５０１、登録要求信号（REGISTER）５０３をそれぞれ送信する。ＳＩＰサーバ４は、登録要求信号（REGISTER）５０１及び５０３を受信すると端末３及び端末接続装置５のＩＰアドレスを含む登録情報を登録する。次に、端末６１、端末６３及び端末６５は、端末接続装置５に対して登録要求信号（REGISTER）５０５を送信する。登録要求信号（REGISTER）５０５を受信した端末接続装置５は端末６１、端末６３、及び端末６５の識別ＩＤをＨＤＤ５４の識別ＩＤ登録領域に登録する。これにより、端末３と端末６１、端末６３又は端末６５のいずれかとの通信が可能となる。
【００８８】
以下では、端末６３を送信元として説明する。端末接続装置５は、端末６３から音声通信での接続要求Invite(Voice)５０７を受信すると、ＳＩＰサーバ４に接続要求Invite(Voice)５０９を転送する。接続要求Invite(Voice)５０９を受信したＳＩＰサーバ４は接続要求Invite(Voice)５１１を端末３に転送すると同時に、只今処理中である旨を示す100Trying５１３を端末接続装置５に送信する。端末接続装置５は100Trying５１３を受信すると、100Trying５１５を端末６３に転送する。
【００８９】
端末３から只今呼び出し中であることを示すRinging５１７を受信したＳＩＰサーバ４は、Ringing５１９を端末接続装置４に転送する。Ringing５１９を受信した端末接続装置５は端末６３にRinging５２１を転送する。これによって、ユーザ６は端末３が呼び出されていることを知る。
【００９０】
ユーザ９が端末３に出ると、端末３は、ユーザ９が端末に応答したことを示す200OK５２３をＳＩＰサーバ４に送信し、これを受けたＳＩＰサーバ４は端末接続装置５に200OK５２５を転送する。200OK５２５を受信した端末接続装置５は、200OK５２７を端末６３に転送する。これによって、端末６３と端末３との音声通話が可能となり、音声通話中５２９となる。
【００９１】
次に、音声通話が完了し端末６３が切られると、音声通話が完了した旨を示すＢｙｅ５３１を端末接続装置５に送信する。端末接続装置５は、Ｂｙｅ５３１を受信すると、ＳＩＰサーバ４にＢｙｅ５３３を転送する。これを受けたＳＩＰサーバ４は、Ｂｙｅ５３４を端末３に転送する。端末３は、了解の旨を表す200OK５４１をＳＩＰサーバ４に送信する。200OK５４１を受信したＳＩＰサーバ４は、200OK５４３を端末接続装置５に転送し、端末接続装置５は200OK５４５を端末６３に転送する。これによって、端末３と端末６３との通信が完了する。
【００９２】
なお、図８のステップＳ９１、図１０のステップＳ１３１、図１６のステップＳ９１が本発明の「受信ステップ」に相当し、図８のステップＳ９３、図１０のステップＳ１３３、ステップＳ１４５、図１６のステップＳ９３が本発明の「第１判定ステップ」に相当する。また、図８のステップＳ１０１、ステップＳ１１１、及びステップＳ１２１、図１０のステップＳ１０１、ステップＳ１１１及びステップＳ１２１、図１６のステップＳ１０１、ステップＳ１１１、及びステップＳ１２１は本発明の「通信制御ステップ」に相当する。さらに、図８のステップＳ９５、ステップＳ１０５、ステップＳ１１５、図１０のステップＳ１３５、ステップＳ１４５、及びステップＳ１５５は本発明の「第２判定ステップ」と「第１選択ステップ」に相当し、図１０のステップＳ１４５は本発明の「第３判定ステップ」に相当し、図１６のステップＳ５１０は、本発明の「受信電界強度受信ステップ」及び「受信電界強度判定ステップ」に相当する。さらに、図１１のステップＳ１７１は本発明の「受付ステップ」に相当し、図１６のステップＳ１０５とステップＳ１１５は本発明の「第２選択ステップ」に相当する。
【００９３】
なお、本実施の形態では、端末６１、端末６３及び端末６５には予めＩＰアドレスは割り当てられておらず、接続する端末が選択され後にＩＰアドレスを割り当てる構成としたが、これには限定されず、例えば端末６１、端末６３、及び端末６５には予めＩＰアドレスが付与されている構成としても良い。
【００９４】
また、本実施の形態では、無線アクセスポイント７に端末装置５がイーサネットで接続されるものとしたが、これには限定されず、例えば図１７に示すように、ワイヤレスローカルエリアネットワーク(WLAN)やイントラネット(Intranet)等の他のネットワークで接続されるものとしても良い。
【符号の説明】
【００９５】
１  端末接続システム
３  ＰＣ（ユーザ９）
４  ＳＩＰサーバ
５  端末接続装置
７  ルータ
５１  ＣＰＵ
５２  ＲＯＭ
５４  ＨＤＤ
６１  ＰＣ（ユーザ６）
６３  スマートフォン（ユーザ６）
６５  端末（ユーザ６）
【図１】
2012182601.tif 000003
【図２】
2012182601.tif 000004
【図３】
2012182601.tif 000005
【図４】
2012182601.tif 000006
【図５】
2012182601.tif 000007
【図６】
2012182601.tif 000008
【図７】
2012182601.tif 000009
【図８】
2012182601.tif 000010
【図９】
2012182601.tif 000011
【図１０】
2012182601.tif 000012
【図１１】
2012182601.tif 000013
【図１２】
2012182601.tif 000014
【図１３】
2012182601.tif 000015
【図１４】
2012182601.tif 000016
【図１５】
2012182601.tif 000017
【図１６】
2012182601.tif 000018
【図１７】
2012182601.tif 000019
【図１８】
2012182601.tif 000020